(57)【要約】      （修正有）【課題】フィルムを貼着する効率を向上し、且つフィルムを均一に貼着することができるフィルムの貼着装置を提供する。【解決手段】基体１０、吸い取り台３０、少なくとも２つの伸縮棒５０、真空発生器、及び電磁弁を備える。吸い取り台３０は、主体３１及び主体３１に貼着された保護シート３３を備え、主体３１の保護シート５０と離れる一側は基体１０に設置され、主体３１には入気孔３１１が設けられ、主体３１の保護シート５０と隣接する側壁に入気孔と連通する少なくとも１つの第一吸い取り孔が設けられ、保護シート５０には複数の第二吸い取り孔が設けられ、少なくとも１つの第一吸い取り孔は第二吸い取り孔と連通し、少なくとも２つの伸縮棒５０は互いに間隔を開け基体１０に設置され、且つ主体３１と保護シート５０とを貫通して、伸縮棒５０の一部は保護シート５０から突出し、入気孔３１１は真空発生器３３に接続され、電磁弁は真空発生器３３の作動を制御する。【選択図】図１
0003189289.tif 000002
【実用新案登録請求の範囲】
【請求項１】
基体を備えるフィルムの貼着装置において、
前記フィルムの貼着装置は、吸い取り台、少なくとも２つの伸縮棒、真空発生器、及び電磁弁を備え、前記吸い取り台は、主体及び前記主体に貼着された保護シートを備え、前記主体の前記保護シートと離れている一側は前記基体に設置され、前記主体には入気孔が設けられ、前記主体の前記保護シートと隣接する側壁には前記入気孔と連通する少なくとも１つの第一吸い取り孔が設けられ、前記保護シートには複数の第二吸い取り孔が設けられ、前記少なくとも１つの第一吸い取り孔は、前記第二吸い取り孔と連通し、前記少なくとも２つの伸縮棒は互いに間隔を開けて前記基体に設置され、且つ前記主体と前記保護シートとを貫通して、前記伸縮棒の一部は前記保護シートから突出し、前記入気孔は前記真空発生器に接続され、前記電磁弁は前記真空発生器の作動を制御することを特徴とするフィルムの貼着装置。
【請求項２】
前記複数の第二吸い取り孔はそれぞれ前記保護シートに設置されることを特徴とする請求項１に記載のフィルムの貼着装置。
【請求項３】
前記フィルムの貼着装置は、複数の第一定位棒を備え、前記複数の第一定位棒は前記保護シートの周りに沿って前記主体に設置されることを特徴とする請求項１または２に記載のフィルムの貼着装置。
【請求項４】
前記保護シートの中央には、通孔が設けられていることを特徴とする請求項１から３のいずれか１項に記載のフィルムの貼着装置。
【請求項５】
前記フィルムの貼着装置は、さらに少なくとも１つの第一定位棒を備え、前記少なくとも１つの第一定位棒は前記主体に設置され、前記保護シートの通孔を貫通し、且つ前記通孔の内壁と接触することを特徴とする請求項４に記載のフィルムの貼着装置。
【請求項６】
前記主体の側壁には凹溝が設けられ、前記入気孔は前記凹溝に隣接して設けられていることを特徴とする請求項１から５のいずれか１項に記載のフィルムの貼着装置。
【考案の詳細な説明】
【技術分野】
【０００１】
本考案は、フィルムの貼着装置に関するものである。
【背景技術】
【０００２】
金属製のワークを加工する際、ワークを直接に治具に固定するので、ワークの表面は治具上に残留する屑のせいで、度々傷ついてしまうことがある。そこで、一般的には作業者が手動でフィルムをワークの表面に貼着してワークの表面を保護する。しかし、手動によるフィルムを貼着する効率は低く、また、フィルムとワークとの間に気泡ができて、フィルムの表面が不均一となるので、後続の加工に影響を与える。
【考案の概要】
【考案が解決しようとする課題】
【０００３】
以上の問題点に鑑みて、本考案は、フィルムを貼着する効率を向上し、且つフィルムを均一に貼着することができるフィルムの貼着装置を提供することを目的とする。
【課題を解決するための手段】
【０００４】
上記の課題を解決するために、本考案のフィルムの貼着装置は、基体、吸い取り台、少なくとも２つの伸縮棒、真空発生器、及び電磁弁を備える。前記吸い取り台は、主体及び前記主体に貼着された保護シートを備え、前記主体の前記保護シートと離れている一側は前記基体に設置され、前記主体には入気孔が設けられ、前記主体の前記保護シートと隣接する側壁には前記入気孔と連通する少なくとも１つの第一吸い取り孔が設けられ、前記保護シートには複数の第二吸い取り孔が設けられ、前記少なくとも１つの第一吸い取り孔は、前記第二吸い取り孔と連通し、前記少なくとも２つの伸縮棒は互いに間隔を開けて前記基体に設置され、且つ前記主体と前記保護シートとを貫通して、前記伸縮棒の一部は前記保護シートから突出し、前記入気孔は前記真空発生器に接続され、前記電磁弁は前記真空発生器の作動を制御する。
【考案の効果】
【０００５】
本考案のフィルムの貼着装置は、電磁弁を介して真空発生器を制御して、吸い取り台にフィルムを吸い取らせ、ワークを吸い取り台に設置した後、ワークを押して、フィルムを均一にワークに貼着するので、フィルムをワークに貼着する効率を向上させ、且つフィルムとワークとの間に気泡が生成することを避けて、フィルムを均一にワークに貼着することができる。
【図面の簡単な説明】
【０００６】
【図１】本考案に係るフィルムの貼着装置の斜視図である。
【考案を実施するための形態】
【０００７】
以下、図面に基づいて、本考案に係るフィルムの貼着装置について詳細に説明する。図１に示したように、フィルムの貼着装置１００は、ワーク（図示せず）にフィルム（図示せず）を貼着させることに用いる。フィルムの貼着装置１００は、基体１０、吸い取り台３０、４つの伸縮棒５０、複数の第一定位棒７０、複数の第二定位棒９０、真空発生器（図示せず）、電磁弁（図示せず）を備える。基体１０は中空の直方体を呈す。吸い取り台３０は、基体１０上に設置される。４つの伸縮棒５０は基体１０に設置され、且つそれぞれ吸い取り台３０を貫通し、４つの伸縮棒５０の一部は吸い取り台３０から突出している。複数の第一定位棒７０は吸い取り台３０の側壁に近接して、且つ吸い取り台３０の上部に設置され、複数の第二定位棒９０は吸い取り台３０の中央部を貫通し、その一部は吸い取り台３０から突出している。真空発生器と吸い取り台３０とは互いに連通し、電磁弁は真空発生器を制御する。これにより、吸い取り台３０はフィルムを吸い取る。
【０００８】
吸い取り台３０は中空の直方体を呈し、基体１０の上部に設置され、且つ吸い取り台３０の底部は基体１０の上部と接触している。吸い取り台３０は主体３１及び主体３１の基体１０と離れている一側に設置された保護シート３３を備える。主体３１の対向する２端の中央部には、それぞれ凹溝３１０が設けられており、容易にワークを設置し、且つ持つことができる。主体３１の１つの凹溝３１０が設けられた端部の側壁には、２つの入気孔３１１が設けられ、２つの入気孔３１１は凹溝３１０の両側に位置する。主体３１の保護シート３３と隣接する上部には入気孔３１１と連通する第一吸い取り孔（図示せず）が設けられている。保護シート３３は矩形のシート状を呈し、保護シート３３のサイズ及び形状は、フィルムのサイズ及び形状と対応する。保護シート３３には、第一吸い取り孔と連通する複数の第二吸い取り孔３３１が設けられている。複数の第二吸い取り孔３３１はそれぞれ保護シート３３上に設けられ、保護シート３３の第二吸い取り孔３３１が設置された面の面積はフィルムの面積と対応して、均一にフィルムを吸い取り、フィルムの表面は均一になる。保護シート３３は、ゴム或いは他の柔軟な材料によって製造され、ワークにフィルムを貼着する際、ワークに傷がつかないようにする。
【０００９】
本実施形態において、主体３１は中空の直方体を呈し、且つ複数の第一吸い取り孔が設けられ、複数の第一吸い取り孔は均一に主体３１の上部に設けられている。保護シート３３の第二吸い取り孔３３１は、主体３１の複数の第一吸い取り孔と対応する。主体３１の形状は、中空の直方体に限定されない。また、主体３１に内部には入気孔３１１と連通する複数の導気通路（図示せず）が設けられ、主体３１の複数の第一吸い取り孔は、ある花型に配置され、保護シート３３は主体３１を覆って、複数の第一吸い取り孔と複数の第二吸い取り孔３３１とは連通する。
【００１０】
４つの伸縮棒５０は、それぞれ基体１０の上部の４つの角に隣接して設置され、伸縮可能に基体１０に設置され、且つ主体３１及び保護シート３３を貫通して、その一部は保護シート３３から突出され、フィルムを精確に吸い取り台３０に定位させる。本実施形態において、各伸縮棒５０はゴム或いは他の柔軟な材料、及び弾性材料によって製造されて、フィルムとワークとに傷がつかないようにする。
【００１１】
複数の第一定位棒７０は保護シート３３の回りに、且つ主体３１上に設置され、ワークを設置する際、ワークの側壁と接触して、ワークの側壁を精確に定位する。複数の第二定位棒９０はそれぞれ吸い取り台３０の中央に設置され、通孔３３５を貫通し、且つ通孔３３５の内壁と接触して、ワークの中央部を精確に定位する。本実施形態において、第一定位棒７０及び第二定位棒９０は、柔軟な材料或いは弾性材料によって製造され、フィルムとワークとに傷がつかないようにする。
【００１２】
フィルムを使用していない場合、フィルムに剥離紙（図示せず）を貼着して、汚れを避けることもできる。本実施形態において、ワークの中央には孔が設けられ、該孔は吸い取り台３０の通孔３３５と対応し、フィルム及び剥離紙にも、４つの伸縮棒５０と対応する４つの定位孔（図示せず）が設けられている。フィルムの貼着装置１００を使用する際、先ず、剥離紙が貼られているフィルムを保護シート３３に設置する。この際、剥離紙はフィルムの保護シート３３と離れている一側に貼られている。電磁弁は、真空発生器を制御する。これにより、吸い取り台３０の内部の気圧は吸い取り台３０の外の気圧より小さくなり、且つ吸い取り台３０はフィルムを吸い取る。次に、作業者は手動によって剥離紙をフィルムから剥離した後、ワークをフィルムに設置する。作業者がワークを均一に押すことで、伸縮棒５０が伸縮して、フィルムを緊密にワークに貼り貼けることができる。次いで、電磁弁は真空発生器を制御して、吸い取り台３０のフィルムの吸い取りを停止させる。最後に、ワークをフィルムの貼着装置１００から取り出して、次の加工を行う。
【００１３】
本考案のフィルムの貼着装置１００は、電磁弁を介して真空発生器を制御して、吸い取り台３０にフィルムを吸い取らせ、ワークを吸い取り台３０に設置した後、ワークを押して、フィルムを均一にワークに貼着するので、フィルムをワークに貼着する効率を向上し、且つフィルムとワークとの間に気泡が生成することを避けて、フィルムを均一にワークに貼着することができる。
【００１４】
また、入気孔３１１を直接に主体３１の上部の側壁に設けても良い。
【００１５】
また、保護シート３３は主体３１に突出して設置され、主体３１には収容溝（図示せず）を設けて、保護シート３３を該収容溝に収容しても良い。
【００１６】
伸縮棒５０の数は、少なくとも２つであり、伸縮棒５０の位置は、実際の必要によって設置すれば良い。
【００１７】
ワークの中央に孔が設けられていない場合、第二定位棒９０を省略する或いは第二定位棒９０の構造を伸縮棒５０の構造と同じ構造に設計することが可能である。
【００１８】
第一定位棒７０及び第二定位棒９０は省略しても良い。
【符号の説明】
【００１９】
１００  フィルムの貼着装置
１０  基体
３０  吸い取り台
３１  主体
３１０  凹溝
３１１  入気孔
３３  保護シート
３３１  第二吸い取り孔
３３５  通孔
５０  伸縮棒
７０  第一定位棒
９０  第二定位棒
【図１】
0003189289.tif 000003